(57)【要約】【課題】作業者の負担を軽減しつつ花卉を見栄え良く陳列する。【解決手段】花卉を収容するコンテナ３０には、情報表示板１０が取り付けられる。情報表示板１０には表示板部２４および連結板部２５を備えた主板１４が設けられ、主板１４の連結板部２５には一対のアーム板１５，１６が連結されている。また、情報表示板１０の表示板部２４には、ＰＯＰ広告等の情報を表示可能な表示面２４ａが設けられる。さらに、コンテナ３０の側壁３３，３５には複数の貫通孔３４，３６が形成されている。コンテナ３０に情報表示板１０を取り付ける際には、アーム板１５，１６が貫通孔３４，３６に差し込まれる。このように、コンテナ３０に情報表示板１０を取り付けることにより、花卉の売り場にＰＯＰ広告等を簡単に提示することができ、作業者の負担を軽減しつつ花卉を見栄え良く陳列することが可能となる。【選択図】図４
2013082486.tif 000002
【特許請求の範囲】
【請求項１】
花卉を収容する収容容器に取り付けて使用される情報表示板であって、
情報を表示可能な表示面を備える表示板部と、前記表示板部に連結される第１アーム部と、前記表示板部に連結される第２アーム部とを有し、
前記第１アーム部は前記収容容器の側壁に形成される複数の貫通孔の少なくとも２つに差し込まれ、前記第２アーム部は前記収容容器の側壁に形成される複数の貫通孔の少なくとも２つに差し込まれ、前記収容容器を貫通する前記第１および第２アーム部によって前記収容容器の開口部が複数に仕切られることを特徴とする情報表示板。
【請求項２】
請求項１記載の情報表示板において、
前記表示板部、前記第１および第２アーム部は、板材を切断して一体に形成されることを特徴とする情報表示板。
【請求項３】
請求項２記載の情報表示板において、
前記板材は、紙製またはプラスチック製の段ボールであることを特徴とする情報表示板。
【請求項４】
請求項３記載の情報表示板において、
前記段ボールの中空構造の目は、前記第１および第２アーム部の長手方向に平行であることを特徴とする情報表示板。
【請求項５】
請求項１〜４のいずれか１項に記載の情報表示板において、
前記表示板部と前記第１および第２アーム部との間に連結板部が設けられ、前記表示板部は前記連結板部に対して折り返し自在に連結されることを特徴とする情報表示板。
【請求項６】
請求項１〜５のいずれか１項に記載の情報表示板において、
前記収容容器は、花卉の運搬および販売に用いられる兼用容器であることを特徴とする情報表示板。
【請求項７】
花卉を収容する花卉収容容器であって、
一端に開口部を備え、側壁に複数の貫通孔が形成される収容容器部と、
情報を表示可能な表示面を備える表示板部と、前記表示板部に連結される第１アーム部と、前記表示板部に連結される第２アーム部とを備え、前記収容容器部に取り付けられる情報表示板とを有し、
前記第１アーム部は前記貫通孔の少なくとも２つに差し込まれ、前記第２アーム部は前記貫通孔の少なくとも２つに差し込まれ、前記収容容器部を貫通する前記第１および第２アーム部によって前記開口部が複数に仕切られることを特徴とする花卉収容容器。
【発明の詳細な説明】
【技術分野】
【０００１】
本発明は、花卉を収容する収容容器に取り付けられる情報表示板、および花卉を収容する花卉収容容器に関する。
【背景技術】
【０００２】
生産者から販売店に花卉を出荷する際には、花卉をプラスチック等の運搬容器に収容することが多い(例えば、特許文献１参照)。このような運搬容器に収容された花卉が販売店に届けられると、花卉は運搬容器から商品陳列用の水揚げバケツ等に入れ替えられ、販売店において花卉は見栄え良く陳列されることになる。
【先行技術文献】
【特許文献】
【０００３】
【特許文献１】特開平８−１３３３７０号公報
【発明の概要】
【発明が解決しようとする課題】
【０００４】
ところで、花卉を運搬容器から水揚げバケツ等に入れ替えることは、作業者の負担を増大させる要因であることから、運搬容器に収容したまま花卉を店頭に陳列することも考えられる。しかしながら、単に店頭に運搬容器を並べるだけでは、花卉を見栄え良く陳列することが困難であった。さらに、花卉を見栄え良く陳列するためには、売り場において、スタンド、プライスカード、タペストリ、のぼり等を配置し、販売促進のための情報を提示することも重要となっている。しかしながら、売り場にスタンドやプライスカードを配置することは、作業者の負担を増大させる要因となっていた。
【０００５】
本発明の目的は、作業者の負担を軽減しつつ花卉を見栄え良く陳列することにある。
【課題を解決するための手段】
【０００６】
本発明の情報表示板は、花卉を収容する収容容器に取り付けて使用される情報表示板であって、情報を表示可能な表示面を備える表示板部と、前記表示板部に連結される第１アーム部と、前記表示板部に連結される第２アーム部とを有し、前記第１アーム部は前記収容容器の側壁に形成される複数の貫通孔の少なくとも２つに差し込まれ、前記第２アーム部は前記収容容器の側壁に形成される複数の貫通孔の少なくとも２つに差し込まれ、前記収容容器を貫通する前記第１および第２アーム部によって前記収容容器の開口部が複数に仕切られることを特徴とする。
【０００７】
本発明の情報表示板は、前記表示板部、前記第１および第２アーム部は、板材を切断して一体に形成されることを特徴とする。
【０００８】
本発明の情報表示板は、前記板材は、紙製またはプラスチック製の段ボールであることを特徴とする。
【０００９】
本発明の情報表示板は、前記段ボールの中空構造の目は、前記第１および第２アーム部の長手方向に平行であることを特徴とする。
【００１０】
本発明の情報表示板は、前記表示板部と前記第１および第２アーム部との間に連結板部が設けられ、前記表示板部は前記連結板部に対して折り返し自在に連結されることを特徴とする。
【００１１】
本発明の情報表示板は、前記収容容器は、花卉の運搬および販売に用いられる兼用容器であることを特徴とする。
【００１２】
本発明の花卉収容容器は、花卉を収容する花卉収容容器であって、一端に開口部を備え、側壁に複数の貫通孔が形成される収容容器部と、情報を表示可能な表示面を備える表示板部と、前記表示板部に連結される第１アーム部と、前記表示板部に連結される第２アーム部とを備え、前記収容容器部に取り付けられる情報表示板とを有し、前記第１アーム部は前記貫通孔の少なくとも２つに差し込まれ、前記第２アーム部は前記貫通孔の少なくとも２つに差し込まれ、前記収容容器部を貫通する前記第１および第２アーム部によって前記開口部が複数に仕切られることを特徴とする。
【発明の効果】
【００１３】
本発明によれば、情報表示板の第１および第２アーム部を収容容器(収容容器部)の貫通孔に差し込むことにより、花卉が収容される収容容器に表示板部を備えた情報表示板が取り付けられる。これにより、情報表示板を用いて販売促進に資する情報を売り場に簡単に提示することが可能となり、作業者の負担を軽減しつつ花卉を見栄え良く陳列することが可能となる。しかも、第１および第２アーム部によって収容容器の開口部を仕切るようにしたので、収容容器内の花卉が減少した場合であっても、少ない花卉をまとめて見栄え良く陳列することが可能となる。
【図面の簡単な説明】
【００１４】
【図１】(ａ)および(ｂ)は本発明の一実施の形態である情報表示板を示す斜視図である。
【図２】(ａ)は情報表示板を示す正面図であり、(ｂ)は情報表示板を示す背面図である。
【図３】(ａ)は情報表示板を示す平面図であり、(ｂ)は情報表示板を示す底面図であり、(ｃ)は情報表示板を示す左側面図であり、(ｄ)は情報表示板を示す右側面図である。
【図４】(ａ)はコンテナと情報表示板とを分離した状態で示す斜視図であり、(ｂ)はコンテナに情報表示板を取り付けた状態を示す斜視図である。
【図５】(ａ)は図４(ｂ)のＡ線に沿って情報表示板およびコンテナを示す断面図であり、(ｂ)は図４(ｂ)のＢ線に沿って情報表示板およびコンテナを示す断面図である。
【図６】(ａ)〜(ｃ)は花束加工工場における花束の梱包手順を示す説明図である。
【図７】(ａ)および(ｂ)は販売店における花束の陳列手順を示す説明図である。
【図８】情報表示板およびコンテナを上方から示す平面図である。
【図９】(ａ)は情報表示板が取り付けられていないコンテナを示す斜視図であり、(ｂ)は情報表示板が取り付けられたコンテナを示す斜視図である。
【図１０】図８のＡ−Ａ線に沿って情報表示板およびコンテナを示す断面図である。
【図１１】本発明の他の実施の形態である情報表示板の使用状態を示す斜視図である。
【図１２】(ａ)および(ｂ)は本発明の他の実施の形態である情報表示板を示す平面図である。
【図１３】プラスチック製の段ボールを用いて形成される情報表示板を示す斜視図である。
【図１４】陳列棚の一例を示す斜視図である。
【発明を実施するための形態】
【００１５】
以下、本発明の実施の形態を図面に基づいて詳細に説明する。図１(ａ)および(ｂ)は本発明の一実施の形態である情報表示板１０を示す斜視図である。図１(ａ)には情報表示板１０の正面、平面および右側面を表す斜視図が示され、図１(ｂ)には情報表示板１０の背面、平面および左側面を表す斜視図が示されている。また、図２(ａ)は情報表示板１０を示す正面図であり、図２(ｂ)は情報表示板１０を示す背面図である。さらに、図３(ａ)は情報表示板１０を示す平面図であり、図３(ｂ)は情報表示板１０を示す底面図であり、図３(ｃ)は情報表示板１０を示す左側面図であり、図３(ｄ)は情報表示板１０を示す右側面図である。なお、図１〜図３には展開された状態の情報表示板１０が示されている。
【００１６】
図１〜図３に示すように、情報表示板１０は、板材である紙製の段ボールを裁断することで形成される。図１(ａ)の拡大部分に示すように、材料となる段ボールは、波形に形成される中芯１１と、中芯１１の一方面に貼り付けられるライナ１２と、中芯１１の他方面に貼り付けられるライナ１３とを備えている。図１〜図３に示すように、情報表示板１０は、略長方形状に形成される主板１４と、主板１４の下部から横方向の一方に伸びるアーム板(第１アーム部)１５と、主板１４の下部から横方向の他方に伸びるアーム板(第２アーム部)１６とを備えている。アーム板１５の幅方向の端部と主板１４との境界には、中芯１１およびライナ１２，１３を分断する切り込み線１７が形成されている。また、アーム板１５の長手方向の端部と主板１４との境界には折り曲げ線１８が形成されている。これにより、主板１４に対してアーム板１５は、折り曲げ線１８を境に折り曲げ自在となる。同様に、アーム板１６の幅方向の端部と主板１４との境界には、中芯１１およびライナ１２，１３を分断する切り込み線１９が形成されている。また、アーム板１６の長手方向の端部と主板１４との境界には折り曲げ線２０が形成されている。これにより、主板１４に対してアーム板１６は、折り曲げ線２０を境に折り曲げ自在となる。また、アーム板１５の先端には、上方に突出する係合爪２１が形成されており、アーム板１６の先端には、下方に突出する係合爪２２が形成されている。
【００１７】
また、図１(ｂ)および図２(ｂ)に示すように、主板１４には横方向に伸びる切り込み線２３が形成されており、主板１４には切り込み線２３を境に表示板部２４と連結板部２５とが区画されている。この切り込み線２３は、ライナ１３のみを切断した切り込み線、もしくはライナ１３および中芯１１を切断した切り込み線となっている。すなわち、表示板部２４と連結板部２５とは少なくともライナ１２を介して連結された状態であり、図１(ｂ)に矢印αで示すように、表示板部２４は連結板部２５に対して折り返し自在に連結されている。このように、情報表示板１０は段ボールを切断することで形成されており、アーム板１５、アーム板１６、表示板部２４および連結板部２５が一体に形成されている。また、表示板部２４には連結板部２５を介してアーム板１５が連結されており、表示板部２４には連結板部２５を介してアーム板１６が連結されている。
【００１８】
また、情報表示板１０を構成する表示板部２４には、文字、数字、模様等からなる情報(例えばＰＯＰ(point of purchase)広告)を表示可能な表示面２４ａが設けられている。この表示面２４ａには、図１(ｂ)に示すように、情報表示板１０の製造段階で文字や模様等を印刷しても良く、後述するように販売店においてラベル等を貼り付けても良い。また、図２(ｂ)に示すように、情報表示板１０の製造段階においては表示面２４ａに何も表示せず、販売店において文字、数字、模様等からなる情報を貼り付けたり、書き込んだりしても良い。
【００１９】
続いて、コンテナ３０に対する情報表示板１０の取付状態について説明する。図４(ａ)はコンテナ３０と情報表示板１０とを分離した状態で示す斜視図であり、図４(ｂ)はコンテナ３０に情報表示板１０を取り付けた状態を示す斜視図である。また、図５(ａ)は図４(ｂ)のＡ線に沿って情報表示板１０およびコンテナ３０を示す断面図であり、図５(ｂ)は図４(ｂ)のＢ線に沿って情報表示板１０およびコンテナ３０を示す断面図である。また、図４に示される情報表示板１０およびコンテナ３０によって、本発明の一実施の形態である花卉収容容器３１が構成されている。
【００２０】
図４(ａ)に示すように、花卉を収容するコンテナ(収容容器，収容容器部)３０は、上端(一端)に開口部３２を有する箱形に形成されている。コンテナ３０を構成する側壁３３には６個の貫通孔３４が形成されており、この側壁３３に対向する側壁３５には貫通孔３４に対向する６個の貫通孔３６が形成されている。そして、図４(ａ)および(ｂ)に示すように、コンテナ３０に対して情報表示板１０を取り付ける際には、情報表示板１０のアーム板１５，１６が主板１４に対してほぼ直角に折り曲げられ、コンテナ３０を貫通するようにアーム板１５，１６が貫通孔３４，３６に差し込まれる。図５(ａ)および(ｂ)に示すように、アーム板１５，１６の先端は係合爪２１，２２が形成されることから、各アーム板１５，１６の係合爪２１，２２は側壁３５の外面に係合し、コンテナ３０に対して情報表示板１０が固定されるようになっている。このように、コンテナ３０の貫通孔３４，３６にアーム板１５，１６を差し込むだけの簡単な作業で、コンテナ３０に情報表示板１０を取り付けることが可能となっている。
【００２１】
また、アーム板１５の係合爪２１は上方に突出する一方、アーム板１６の係合爪２２は下方に突出することから、情報表示板１０がコンテナ３０から抜け落ち難くなっている。すなわち、図５(ａ)に矢印αで示すように、情報表示板１０に外力が作用してアーム板１５，１６が上方に傾いた場合には、アーム板１５の係合爪２１が噛み込む状態となる。一方、図５(ｂ)に矢印βで示すように、情報表示板１０に外力が作用してアーム板１５，１６が下方に傾いた場合には、アーム板１６の係合爪２２が噛み込む状態となる。このように、各係合爪２１，２２を逆向きに形成することにより、情報表示板１０の脱落を防止することが可能となる。なお、貫通孔３４，３６に対する係合爪２１，２２の挿入を容易にするため、アーム板１５，１６の先端には切り欠き３７，３８が形成されている。
【００２２】
前述した情報表示板１０は、花束(花卉)Ｆの小売段階で使用するものであるが、販売店での作業を軽減するため、花束Ｆを出荷する花束加工工場等においてコンテナ３０に予め情報表示板１０が取り付けられる。続いて、花束Ｆを加工して出荷する花束加工工場での作業について説明し、花束Ｆを入荷して販売する販売店での作業について説明する。図６(ａ)〜(ｃ)は花束加工工場における花束Ｆの梱包手順を示す説明図である。また、図７(ａ)および(ｂ)は販売店における花束Ｆの陳列手順を示す説明図である。前述したように、花束加工工場においてコンテナ３０に情報表示板１０が取り付けられると、図６(ａ)に示すように、コンテナ３０に所定量の水が注入されるとともに花束Ｆが収容される。続いて、図６(ｂ)に示すように、段ボール等で形成される角筒状の保護カバー４０がコンテナ３０に取り付けられるとともに、保護カバー４０の開口端にコンテナ蓋４１が取り付けられる。そして、図６(ｃ)に示すように、コンテナ３０、保護カバー４０およびコンテナ蓋４１は結束バンド４２を用いて固定され、１つの梱包ユニット４３として構成される。このような梱包ユニット４３は販売店に向けて出荷されており、この段階ではコンテナ３０は花束Ｆの運搬に用いられる容器として機能している。
【００２３】
梱包ユニット４３が販売店に到着すると、図７(ａ)に示すように、コンテナ３０から保護カバー４０およびコンテナ蓋４１が取り外される。そして、情報表示板１０の表示板部２４が矢印α方向に折り返され、図７(ｂ)に示すように、露わになった表示面２４ａに対して価格や品名等を記載したラベル４４が貼り付けられる。このように、販売店においては、梱包ユニット４３を解いて表示板部２４を折り返すだけの作業で、ＰＯＰ広告等を表示可能な表示面２４ａをコンテナ３０の前面に設置することが可能となる。これにより、情報表示板１０を利用して売り場にＰＯＰ広告等を簡単に提示することができ、作業者の負担を軽減しつつ花束Ｆを見栄え良く陳列することが可能となる。また、コンテナ３０の前面に情報表示板１０を設置することにより、見栄えを損なうことなく運搬に用いられるコンテナ３０を店頭に並べることが可能となる。すなわち、コンテナ３０に情報表示板１０を取り付けることにより、コンテナ３０を花束Ｆの運搬および販売に用いられる兼用容器として機能させることが可能となる。これにより、販売店における花束Ｆの入れ替え作業が不要となり、この点からも、作業者の負担を大幅に軽減することが可能となる。なお、梱包ユニット４３の状態では、表示板部２４の表示面２４ａが保護カバー４０に対向することから、運搬中に表示面２４ａを汚してしまうことが無く、この点からも花束Ｆを見栄え良く陳列することが可能となる。
【００２４】
また、図８は情報表示板１０およびコンテナ３０を上方から示す平面図である。図８に示すように、コンテナ３０に装着される情報表示板１０のアーム板１５，１６は、コンテナ３０を貫通するように掛け渡されている。すなわち、コンテナ３０の開口部３２は、２つのアーム板１５，１６によって３つに仕切られた状態となっている。ここで、図９(ａ)は情報表示板１０が取り付けられていないコンテナ３０を示す斜視図であり、図９(ｂ)は情報表示板１０が取り付けられたコンテナ３０を示す斜視図である。図９(ａ)に示すように、情報表示板１０が装着されていない場合には、販売に伴ってコンテナ３０内の花束Ｆが閑散とした状態になり、花束Ｆの見栄えを損なうおそれがある。これに対し、図９(ｂ)に示すように、情報表示板１０を装着してコンテナ３０の開口部３２を仕切ることにより、販売に伴ってコンテナ３０内の花束Ｆが減少した場合であっても、少ない花束Ｆをまとめて見栄え良く配置することが可能となる。また、情報表示板１０によってコンテナ３０の開口部３２を仕切ることにより、異なる種類の花束Ｆを１つのコンテナ３０に綺麗に陳列することも可能となる。
【００２５】
また、図１(ａ)に一点鎖線Ｌで示すように、情報表示板１０の材料となる段ボールの中空構造の目は、アーム板１５，１６の長手方向と平行となっている。すなわち、中芯１１とライナ１２，１３との間に区画される筋状の空洞部分が、アーム板１５，１６を長手方向に貫くようになっている。換言すれば、ライナ１２，１３と中芯１１とを接着する筋状の接着面が、アーム板１５，１６を長手方向に貫くようになっている。なお、図１(ａ)には、段ボールの中空構造の目を示す線として３本の一点鎖線Ｌを記載しているが、段ボールにおいては多数の目が平行に伸びていることはいうまでもない。
【００２６】
このように、段ボールの中空構造の目とアーム板１５，１６の長手方向とを平行に配置した上で段ボールを裁断することにより、情報表示板１０の強度が確保されるとともに、表示板部２４を容易かつ綺麗に折り返すことが可能となる。ここで、図１０は図８のＡ−Ａ線に沿って情報表示板１０およびコンテナ３０を示す断面図である。図１０に示すように、情報表示板１０の主板１４には、切り込み線２３と平行に段ボールの中空構造の目が並んでいる。これにより、ライナ１３を切断する切り込み線２３を形成するだけで、表示板部２４を容易かつ綺麗に折り返すことができるとともに、ライナ１２や中芯１１の反発力により、連結板部２５に対して表示板部２４を適度に傾斜させることが可能となる。このように、表示板部２４を傾斜させることにより、コンテナ３０が床に配置されていた場合であっても、購入者に対して表示板部２４を見易く向けることが可能となる。また、アーム板１５，１６の長手方向と平行に段ボールの中空構造の目が並んでいる。これにより、図８に矢印αで示すように、アーム板１５，１６に厚み方向の外力が作用した場合であっても、アーム板１５，１６を折れ曲がり難く構成することが可能となる。
【００２７】
また、前述の説明では、主板１４に切り込み線２３を形成することにより、主板１４に表示板部２４と連結板部２５とを形成しているが、これに限られることはなく、切り込み線２３を省いて主板１４の全てを表示板部２４として機能させても良い。ここで、図１１は本発明の他の実施の形態である情報表示板５０の使用状態を示す斜視図である。図１１に示すように、主板１４のライナ１２側を表示面５１ａとすることにより、主板１４の全てを表示板部５１として機能させても良い。この場合には、表示面５１ａを露出させるために主板１４が折り返されることはなく、表示面５１ａが始めから露出した状態となっている。
【００２８】
また、図１２(ａ)および(ｂ)は本発明の他の実施の形態である情報表示板５２，５３を示す平面図である。なお、図１２において図８に示す部材と同様の部材については、同一の符号を付してその説明を省略する。前述の説明では、情報表示板１０のアーム板１５，１６をほぼ平行に伸ばしているが、これに限られることはなく、情報表示板１０のアーム板１５，１６を互いに傾斜させても良い。例えば、図１２(ａ)に示すように、情報表示板５２が備えるアーム板(第１アーム部，第２アーム部)５４，５５を傾斜させて交差させることにより、コンテナ３０の開口部３２を４つに仕切っても良い。この場合には、アーム板５４，５５は前述したアーム板１５，１６よりも長く形成され、アーム板５４，５５のほぼ中央に干渉を回避するための切り込みが形成されている。また、前述の説明では、アーム板１５，１６の係合爪２１，２２を貫通孔３６に係合させることにより、コンテナ３０に情報表示板１０を固定しているが、これに限られることはない。例えば、図１２(ｂ)に示すように、情報表示板５３が備えるアーム板(第１アーム部，第２アーム部)５６，５７の先端に切り込みや面ファスナーを設けることにより、アーム板５６，５７の先端同士を連結して情報表示板５３を固定しても良い。この場合にも、アーム板５６，５７は、前述したアーム板１５，１６よりも長く形成されている。
【００２９】
また、前述の説明では、紙製の段ボールを材料に用いて情報表示板１０を形成しているが、これに限られることはなく、プラスチック製の段ボールを材料に用いて情報表示板６０を形成しても良い。ここで、図１３はプラスチック製の段ボールを用いて形成される情報表示板６０を示す斜視図である。なお、図１３において図１(ａ)に示す部材と同様の部材については、同一の符号を付してその説明を省略する。図１３に示すように、情報表示板１０は、板材であるプラスチック製の段ボールを裁断することで形成される。図１３の拡大部分に示すように、材料となる段ボールは、細長い板状に形成される複数の中芯６１と、中芯６１の幅方向の一方の側面に貼り付けられるライナ６２と、中芯６１の幅方向の他方の側面に貼り付けられるライナ６３とを備えている。このようにプラスチック製の段ボールを用いて情報表示板６０を形成することにより、情報表示板６０の耐水性や耐久性を飛躍的に向上させることが可能となる。また、プラスチック製の段ボールを用いて情報表示板６０を形成する場合であっても、前述した紙製の段ボールと同様に、段ボールの中空構造の目をアーム板１５，１６の長手方向と平行にすることが望ましい。すなわち、中芯６１とライナ６２，６３との間に区画される筋状の空洞部分が、アーム板１５，１６を長手方向に貫通することが望ましい。換言すれば、ライナ６２，６３と中芯６１とを接着する筋状の接着面が、アーム板１５，１６を長手方向に貫通することが望ましい。
【００３０】
また、販売店においてコンテナ３０を並べる際には、床に対してコンテナ３０を直に置いても良いが、見栄えを向上させるために陳列棚にコンテナ３０を置いても良い。ここで、図１４は陳列棚６４の一例を示す斜視図である。図１４に示すように、陳列棚６４の前面には化粧板６５が取り付けられており、この化粧板６５によってコンテナ３０の前面が覆われている。これにより、黒に着色されることの多いコンテナ３０を覆うことができ、売り場の雰囲気を明るくすることができるため、更に花束Ｆを見栄え良く陳列することが可能となる。
【００３１】
本発明は前記実施の形態に限定されるものではなく、その要旨を逸脱しない範囲で種々変更可能であることはいうまでもない。たとえば、図示する場合には、情報表示板１０，５０，５２，５３，６０の材料になる板材として、紙製やプラスチック製の段ボールを挙げているが、これに限られることはなく、厚紙やプラスチック板等を板材として用いるようにしても良い。さらに、製造時の低コスト化や保管時のコンパクト化を達成するためには板材を裁断することが望ましいが、プラスチック等を材料に用いて情報表示板１０を図９(ｂ)等の所定形状に成型しても良い。すなわち、射出成形等によって情報表示板１０を一体に成型することにより、アーム板１５，１６や表示板部２４を予め折り曲げた状態に成型しても良い。なお、プラスチック素材としては、例えば、ポリプロピレンやポリカーボネートを用いることが可能であるが、これらのプラスチック素材に限られるものではない。
【００３２】
また、前述の説明では、主板１４に形成される切り込み線２３として、ライナ１３のみを切断した切り込み線、もしくはライナ１３および中芯１１を切断した切り込み線を挙げているが、これに限られることはなく、ミシン目や折り曲げ線によって表示板部２４と連結板部２５とを区画しても良い。また、前述の説明では、主板１４の下部からアーム板１５，１６を伸ばしているが、これに限られることはなく、主板１４の上部からアーム板１５，１６を伸ばしても良く、主板１４の中央部からアーム板１５，１６を伸ばしても良い。また、図示する場合には、真っ直ぐ帯状に伸びるアーム板１５，１６を形成しているが、これに限られることはなく、例えば、湾曲しながら帯状に伸びるアーム板を形成しても良く、蛇行しながら帯状に伸びるアーム板を形成しても良い。また、図示する場合には、表示板部２４を長方形状に形成しているが、これに限られることはなく、円形、楕円形、扇形、菱形等の他の如何なる形状であっても良いことはいうまでもない。
【００３３】
また、前述の説明では、コンテナ３０に収容する花卉として花束Ｆを挙げているが、このような花物に限られることはなく、葉物や実物の植物であっても良いことはいうまでもない。また、前述の説明では、コンテナ３０に対する情報表示板１０の取付作業を説明する際に、取付作業の実施する場所の一例として花束加工工場を挙げているが、これに限られることはない。例えば、花束加工工場等の生産者側だけでなく、各販売店においてコンテナ３０に情報表示板１０を取り付けても良い。また、図示する場合には、それぞれのアーム板１５，１６が異なる貫通孔３４，３６に差し込まれているが、これに限られることはなく、同一の貫通孔３４，３６にアーム板１５，１６を差し込んでも良い。また、図示する場合には、コンテナ３０に１２個の貫通孔３４，３６が形成されているが、これに限られることはなく、コンテナ３０に１３個以上の貫通孔を形成しても良く、コンテナ３０に１１個以下の貫通孔を形成しても良い。また、図示する場合には、箱形に形成されたコンテナ３０を用いているが、この形状に限られることはなく、円筒形や円錐形等に形成されたコンテナであっても良い。
【符号の説明】
【００３４】
１０…情報表示板、１１…中芯、１２…ライナ、１３…ライナ、１４…主板、１５…アーム板(第１アーム部)、１６…アーム板(第２アーム部)、１７…切り込み線、１８…折り曲げ線、１９…切り込み線、２０…折り曲げ線、２１…係合爪、２２…係合爪、２３…切り込み線、２４…表示板部、２４ａ…表示面、２５…連結板部、３０…コンテナ(収容容器，兼用容器，収容容器部)、３１…花卉収容容器、３２…開口部、３３…側壁、３４…貫通孔、３５…側壁、３６…貫通孔、３７…切り欠き、３８…切り欠き、４０…保護カバー、４１…コンテナ蓋、４２…結束バンド、４３…梱包ユニット、４４…ラベル、５０…情報表示板、５１…表示板部、５１ａ…表示面、５２…情報表示板、５３…情報表示板、５４…アーム板(第１アーム部)、５５…アーム板(第２アーム部)、５６…アーム板(第１アーム部)、５７…アーム板(第２アーム部)、６０…情報表示板、６１…中芯、６２…ライナ、６３…ライナ、６４…陳列棚、Ｆ…花束(花卉)
【図１】
2013082486.tif 000003
【図２】
2013082486.tif 000004
【図３】
2013082486.tif 000005
【図４】
2013082486.tif 000006
【図５】
2013082486.tif 000007
【図６】
2013082486.tif 000008
【図７】
2013082486.tif 000009
【図８】
2013082486.tif 000010
【図９】
2013082486.tif 000011
【図１０】
2013082486.tif 000012
【図１１】
2013082486.tif 000013
【図１２】
2013082486.tif 000014
【図１３】
2013082486.tif 000015
【図１４】
2013082486.tif 000016